(57)【特許請求の範囲】
【請求項１】
床面上に移動可能に設けられた移動什器と、
床面上に載置され、前記移動什器が所定の組み合わせ状態に組み合わされる固定什器と、
前記固定什器に設けられた給電部と、
前記移動什器に設けられ、前記移動什器が前記所定の組み合わせ状態となったときに前記給電部からの給電を受ける受電部とを有する什器システムであって、
前記固定什器は天板を備え、前記給電部と前記受電部とが電気的に接続されたことを外部に示す表示装置が該天板の上面に設けられていることを特徴とする什器システム。
【請求項２】
請求項１に記載の什器システムにおいて、
前記表示装置は、前記給電部と一体的に設けられていることを特徴とする什器システム。
【請求項３】
請求項１または２に記載の什器システムにおいて、
前記受電部は、前記移動什器における前記固定什器に組み合わせる際に前記固定什器に向かう側に配設されていることを特徴とする什器システム。
【請求項４】
請求項１から３のいずれか１項に記載の什器システムにおいて、
前記移動什器はバッテリー装置を有しており、前記表示装置には、前記給電部と前記受電部との接続状況と共に、前記バッテリー装置の残量が表示されることを特徴とする什器システム。
【請求項５】
請求項１から４のいずれか１項に記載の什器システムにおいて、
前記給電部及び前記受電部は、前記給電部と前記受電部とが磁気的に吸着することによって電気的な接続状態を確立するマグネット機構を有するコンセント装置であることを特徴とする什器システム。
【請求項６】
請求項１から５のいずれか１項に記載の什器システムにおいて、
前記給電部及び前記受電部は、非接触給電によって給電を行うことを特徴とする什器システム。
【発明の詳細な説明】
【技術分野】
【０００１】
本発明は、オフィスや病院、公共施設等における執務空間、および家庭等の居住空間にて使用され、給電部が設けられたテーブル等の固定什器と、この給電部からの給電を受ける受電部が設けられたカート等の移動什器と、とを備える什器システムに関する。
【背景技術】
【０００２】
従来から、物品を載置、収納する手段を有しつつ、床面上を走行可能なカート等の移動什器が知られている。このようなカートは、例えば、病院や介護施設等で病室を回診する際などに利用されており、近年、カルテなどの電子化に伴って、情報端末などの電子機器を載置可能とするカートが提案されてきている。
具体的には、床面上を走行するキャスタと、所定の向きで電子機器を載置可能な天板と、カートを操作するための操作部となる取っ手とを備えるものが提案されている（例えば、特許文献１、２参照）。そして、このようなカートでは、操作部となる取っ手を把持しながら押すことでカートを走行させて移動しつつ、天板上の電子機器を利用することが可能である。
【０００３】
また、カートと、このカートの一部を収容可能に構成されたテーブル等の固定什器とを組み合わせた什器システムも知られている。カートは、例えば、テーブルの天板の下の空間に収容されるように構成されており、このような構成とすることによって、執務空間としての使い勝手及び体裁を良好とすると共に、カートとしての使い勝手及び体裁も良好に収めることができる。
【０００４】
一方、カートとテーブルとを組み合わせた什器システムにおいて、カートに載置された電子機器に電力を供給したり、電子機器に用いられるバッテリーを充電したりするための装置を備えたものもある。このシステムは、テーブル側にコネクタ形状の給電部を設けると共に、カート側にテーブル側のコネクタに対応する受電部を設け、テーブル側にカートを収容した際に、コネクタ同士が接続されることで、カート側の電子機器に電力が供給されるように構成したものである。
【先行技術文献】
【特許文献】
【０００５】
【特許文献１】特開２００５−４６４１２号公報
【特許文献２】特開２００８−１４２２７８号公報
【発明の概要】
【発明が解決しようとする課題】
【０００６】
ところで、受電部と給電部との接続は、カートの操作部を操作してカートと移動させ、テーブルの空間にカートを収容することにより行われる。この際、使用者がカートをテーブルの下の空間に収容させ、両者の接続を試みた場合においても、正常に接続されていない場合がある。しかしながら、使用者がコネクタが正常に接続されていない状態に気付かない場合、電子機器に内蔵されたバッテリーが充電されずに放置されてしまう等の問題がある。
【０００７】
本発明は、上述する事情に鑑みてなされたもので、使用者が、外部から給電部と受電部の接続状態を確認することができる什器システムを提供することを目的とする。
【課題を解決するための手段】
【０００８】
上記課題を解決するために、この発明は以下の手段を提案している。
本発明の什器システムは、床面上に移動可能に設けられた移動什器と、床面上に載置され、前記移動什器が所定の組み合わせ状態に組み合わされる固定什器と、前記固定什器に設けられた給電部と、前記移動什器に設けられ、前記移動什器が前記所定の組み合わせ状態となったときに前記給電部からの給電を受ける受電部とを有する什器システムであって、前記固定什器は天板を備え、前記給電部と前記受電部とが電気的に接続されたことを外部に示す表示装置が該天板の上面に設けられていることを特徴としている。
【０００９】
この発明に係る什器システムによれば、表示装置に給電部と受電部の接続状態が表示されるため、使用者は、外部から接続状態を確認することができる。
また、固定什器の天板の上面に設けられた表示装置に接続状態が表示されるため、使用者は、接続状態をより明確に確認することができる。
【００１４】
また、上記の什器システムにおいて、前記表示装置は、前記給電部と一体的に設けられたものとしても良い。
この発明に係る什器システムによれば、給電部に表示装置が設けられているので、例えば、給電部と表示装置のケースの共用化が可能となり、コストを削減することができる。
【００１５】
また、上記の什器システムにおいて、前記受電部は、前記移動什器における前記固定什器に組み合わせる際に前記固定什器に向かう側に配設されていることが好ましい。
この発明に係る什器システムによれば、給電部と受電部の接続部が作業空間とは反対側となり、作業空間を広く確保することができる。
【００１６】
また、上記の什器システムにおいて、前記移動什器はバッテリー装置を有しており、前記表示装置には、前記給電部と前記受電部との接続状況と共に、前記バッテリー装置の残量が表示されるものとしても良い。
この発明に係る什器システムによれば、表示装置にバッテリー装置の残量が表示されるため、電源供給の状態だけでなく、バッテリー装置の残量を把握することができ、什器としての使い勝手をより向上させることができる。
【００１７】
また、上記の什器システムにおいて、前記給電部及び受電部は、前記給電部と前記受電部とが磁気的に吸着することによって電気的な接続状態を確立するマグネット機構を有するコンセント装置であることがより好ましい。
【００１８】
この発明に係る什器システムによれば、受電側・給電側のコンセント装置を接続した状態において、接続を解除するのを忘れて移動什器を給電位置から移動させてしまった場合においても、移動什器を操作する力がマグネット機構による接続力よりも大きければ、その接続が自動的に解除されるため、使用時における安全性を確保することができる。
【００１９】
また、上記の什器システムにおいて、前記給電部及び受電部は、非接触給電によって給電を行うものとして良い。
【００２０】
この発明に係る什器システムによれば、移動什器を固定什器からの給電状態においても自由に移動させることができるので、使用時における安全性を確保することができる。
【発明の効果】
【００２１】
本発明によれば、移動什器及び固定什器の少なくとも一方に、給電部と受電部とが電気的に接続されたことを外部に示す表示装置を設けたことにより、表示装置に給電部と受電部の接続状態が表示されるため、使用者は、外部から接続状態を確認することができる。
【図面の簡単な説明】
【００２２】
【図１】本発明の第一の参考例の什器システムの全体構成を示す斜視図である。
【図２】本発明の第一の参考例のカートを示す斜視図である。
【図３】図１のＡ方向から見たカートの側面図である。
【図４】カートの受電部を示す図である。
【図５】固定式テーブルの給電部を示す図である。
【図６】表示装置の表示画面を示す図である。
【図７】什器システムの組み合わせ状態を示す断面図である。
【図８】本発明の実施形態の什器システムを示す断面図である。
【図９】本発明の第二の参考例の什器システムの全体構成を示す斜視図である。
【図１０】第二の参考例の什器システムを示す側面図である。
【発明を実施するための形態】
【００２３】
（第一の参考例）
以下、本発明の参考例の什器システムについて図面を参照して詳細に説明する。図１は、什器システムの全体構成を示す斜視図である。
本参考例の什器システムは、カート１（移動什器）、固定式テーブル３０（固定什器）とから構成され、床面上に固定的に設置された固定式テーブル３０に対して、床面上を移動可能なカート１を組み合わせて使用することが可能となっている。また、固定式テーブル３０に対して、複数のカート１を組み合わせる構成とすることができる。
【００２４】
図１に示すように、カート１を固定式テーブル３０に向けて前方に移動させ、カート１の進入部１６に固定式テーブル３０の天板３２を進入させることにより、カート１の天板４上に、パソコンＰ等を載置したままの状態で、カート１の収容部１０を、固定式テーブル３０の天板３２の下方に潜入させて使用することができる。
本参考例の什器システムは、このようにカート１と固定式テーブル３０を組み合わせることで、固定式テーブル３０側に固定的に設けられた給電部と、カート１に設けられた受電部とが接続されるように構成されている。
【００２５】
次に、本参考例のカート１について図面を参照して詳細に説明する。図２は、本発明の参考例のカート１を示す斜視図である。図３は、図２のＡ方向から見たカート１の側面図である。なお、以下の説明において、図３の右方向を「前方」とし、左方向を「後方」とする。
本参考例のカート１は、図２および図３に示すように、４つのキャスタ２と、キャスタ２により支持された金属製のフレーム３と、フレーム３の上部に載置された天板４と、フレーム３内に組み込まれたバッテリー部５とを主な構成要素として備えている。
【００２６】
フレーム３は、側面枠６，６、ハンドル部１３，１３、第一天板支持材１４，１４、及び第二天板支持材１５等からなり、カート１を構成する天板４を支持すると共に、収容部１０を画定している。
【００２７】
フレーム３は、側面視倒立Ｕ字形をなす左右１対の側面枠６，６によって、カート１の両側面を構成している。各側面枠６は、前部支柱６１と、後部支柱６２と、前部支柱６１の上端から後方に向けて水平に延び、かつ後部支柱６２に連結された横桟６３とにより枠組みされている。４つのキャスタ２は、前部支柱６１、及び後部支柱６２の下端に取り付けられている。また、前部支柱６１の下端と後部支柱６２の下端は、それぞれ下桟８によって連結されている。さらに、一対の下桟８は、複数の連結棹８ａによって連結されている。
【００２８】
上下方向を向く前部支柱６１は、カートの操作時に、障害物等との衝突による収容物の破損を防止する保護部材となる。前後両支柱６１，６２間には、複数のワイヤー部材７が上下に所望の間隔をもって前後方向に沿って架設されている。
【００２９】
左右の側面枠６，６は、その前方上部間が連結杆９により連結されている。これにより、カート１の左右両側面が、左右の側面枠６，６により保護されるとともに、前後両面に、収容物の取り出し口が形成された収容部１０が形成されている。
収容部１０内における左右の側面枠６，６間には、収容物を収容可能な上下２段のトレイ１１，１１が配設されている。各トレイ１１は、各側面枠６における前後両支柱６１，６２間に架設された支持ワイヤー部材１２によって着脱自在に支持されている。
【００３０】
左右の後部支柱６２，６２における各々の上部には、収容部１０の上面より上方に離間する位置において、円弧状をなして前方に折曲させることにより、円弧状の折曲部と、前向部とが形成され、この折曲部により、カート操作用のハンドル部１３，１３（操作部）が、また前向部により、第一天板支持材１４，１４がそれぞれ形成されている。第一天板支持材１４，１４は、その前方端部において、第二天板支持材１５により連結されている。これにより、第一天板支持材１４，１４、及び第二天板支持杆１５は、平面視Ｕ字形をなしている。
【００３１】
これら第一天板支持材１４，１４、及び第二天板支持材１５上には、天板４が載置され、かつ固定されている。これにより、収容部１０の上面と、天板支持材１４，１５及び天板４の下面との間には、前方および両側方に開口する、後記する固定式テーブル３０等の天板３２の進入部１６が形成されている。
【００３２】
ハンドル部１３，１３である両支柱６２，６２の円弧状の折曲部の上面および後面には、軟質パット１３ａがそれぞれ設けられている。ハンドル部１３，１３は、収容部１０より後方および両側方に突出することがないので、不使用時におけるカート収容スペースの縮小化を図ることができる。
【００３３】
各第一天板支持材１４には、前後１対の固定ねじ１７，１７によりストッパ１８が固着されている。このストッパ１８の上面は、第一天板支持材１４の上方に突出させることにより、天板４の下面を支持する天板受け部材を兼ねている。
【００３４】
側面枠６の左右の横桟６３，６３の間の空間には、バッテリー部５が設けられている。
バッテリー部５は、バッテリー収容部２０とバッテリー２１から構成されている。
バッテリー収容部２０は、平面視が略正方形状であって、上下方向に薄い直方体状の箱型である。バッテリー収容部２０は、後方に開口部を有しており、この開口部からバッテリーを挿入することができる。バッテリー収容部２０は、その両側部が横桟６３，６３に固定されている。バッテリー収容部２０は、フレーム３と同様に金属製であり、フレーム３の補強部材としても機能している。
【００３５】
バッテリー収容部２０の内部には、バッテリーのプラグが接続可能なコンセントが取り付けられており、バッテリー収容部２０の前面には、このコンセントと接続された受電側コネクタ２２（受電部）が、前側に突出するように設けられている。図４は、カート１の前方からみた受電側コネクタ２２を示す図である。この受電側コネクタ２２には、後述する給電側コネクタ３３（給電部）と電気的に接続が可能に構成されている。受電側コネクタ２２は、オス型端子２２ａと吸着板２２ｂとを備えており、マグネットを備える給電側コネクタ３３と磁気的に吸着することによって、電気的な接続状態を確立するマグネット機構を構成している。
【００３６】
また、バッテリー２１には、図示しないメスコンセントが設けられている。メスコンセントは、パソコンＰ等の電子機器に接続することにより、この電子機器に電力を供給することができるように構成されている。
【００３７】
天板４の上面であって、後端４ａには、表示装置２３が取り付けられている。表示装置２３は、板状の表示装置本体２３ａと、この表示装置本体２３ａの一面に設けられている表示画面２４とから構成されており、バッテリー２１の状態等を表示するものである。表示装置２３の詳細については後述する。
【００３８】
次に、本参考例の固定式テーブル３０について説明する。固定式テーブル３０は、支柱３１及び天板３２を主な構成要素として有している。天板３２は、任意の位置を支柱３１によって支持されている。天板３２は、カート１を前方に移動させた際、天板３２の上面が、天板支持材１４，１５に接触せず、かつ、天板３２の下面がフレーム６のバッテリー収容部２０の上面に接触しないような高さにされている。
【００３９】
図５は、固定式テーブル３０を後方から見た図であり、天板３２の下面に配置されている給電側コネクタ３３（給電部）を示す図である。図５に示すように、固定式テーブル３０の天板３２の下部には、メス型端子３３ａとマグネット３３ｂとからなる給電側コネクタ３３（給電部）が設けられている。給電側コネクタ３３は、床面からの高さが、カート１の受電側コネクタ２２と同じになるように配置されている。給電側コネクタ３３は、電力を供給可能な、図示しない電源線と電気的に接続されている。また、カート１を固定式テーブル３０の任意の位置まで挿入した際、受電側コネクタ２２と給電側コネクタ３３が接続されるような位置に配置されている。また、互いに磁気的に吸着された吸着板２２ｂとマグネット３３ｂとは、その吸着力よりも大きい外力によって、互いに離間できるように構成されている。
【００４０】
また、給電側コネクタ３３の周囲には、コネクタガイド３４が設けられている。コネクタガイド３４は、給電側コネクタ３３の上方及び両側方に設けられた斜面３４ａによって構成された案内部材である。それぞれの斜面３４ａは、受電側コネクタ２２が、給電側コネクタ３３の方向に進入する際、受電側コネクタ２２の位置を給電側コネクタ３３に位置合わせさせるような傾斜を有している。
【００４１】
天板３２の下部には、一対のカートガイド３５が設けられている。カートガイド３５は、カート１を固定式テーブル３０に向かって前進させた際、カート１のフレーム３を当接させながらカート１の位置を修正し、受電側コネクタ２２が、給電側コネクタ３３に接続されるように導く部材である。
【００４２】
カートガイド３５は、カート１が固定式テーブル３０と組み合わされた際に、フレーム３の横桟６３の両側方に配置されるように、天板３２の下面に所定の間隔で固定された一対の棒状の部材である。一対のカートガイド３５は、それぞれ延在方向の途中で屈曲しており、導入部３５ａと、ガイド部３５ｂとから形成されている。一対の導入部３５ａの間隔は、フレーム３の天板支持部材１４，１５の幅寸法よりも十分に大きい間隔から、この幅寸法よりもやや大きい間隔まで徐々にその間隔を狭めるように形成され、カート１の進行方向に対して角度を有するように設けられている。ガイド部３５ｂは、導入部３５ａの前端に接続され、カート１を進行方向に導くように、進行方向に沿う方向に延在している。
【００４３】
次に、図６を参照して表示装置２３について説明する。表示装置２３は、表示装置本体２３ａと、表示画面２４とから構成されている。
表示画面２４には、受電側コネクタ２２と給電側コネクタ３３とが電気的に接続されたことを示す接続ランプ２４ａと、バッテリー２１の残量を示す残量ゲージ２４ｂとが表示されている。
また、表示装置２３は、図示しない制御回路を備えている。この制御回路はバッテリー２１の状態を監視しており、これにより、表示装置２３は、受電側コネクタ２２と給電側コネクタ３３とが接続された際、接続ランプ２４ａと点灯させたり、バッテリー２１の残量を残量ゲージ２４ｂに表示させたりすることができる。
【００４４】
図７は、カート１の収容部１０を、テーブル３０の天板３２の下方に潜入させた状態を示す断面図である。図７に示すように、カート１を、テーブル３０に向けて前方に移動し、進入部１６にテーブル３０の天板３２を進入させることにより、カート１の天板４上に、パソコンＰ等を載置したままの状態で、カート１の収容部１０を、テーブル３０の天板３２の下方に潜入させて使用することができる。さらに、固定式テーブル３０の給電側コネクタ３３と、カート１の受電側コネクタ２２とを接続させ、バッテリー部５のバッテリーに電力を供給することができる。
【００４５】
進入部１６に進入してきたテーブル３０の天板３２は、ハンドル部１３および天板４の後端４ａより前方における第一天板支持材１４の下面に設けられたストッパ１８に当接し、それ以上の進入が阻止されるので、ハンドル部１３を握る使用者の手が、テーブル３０の天板３２で挟まれることがなく、また、収容部１０の上面がテーブル３０の天板３２により、完全に覆われるのを防止し、カートの後上方からの収容物の確認、および出し入れを行うことができる。
【００４６】
この際、カート１の天板４は、固定式テーブル３０のカートガイド３５によって、左右方向の位置が調整され、所定の位置に案内される。具体的には、カート１が前方に移動すると、カートガイド３５の導入部３４ａに横桟６３の前部が当接し、さらに前方に移動させることによって、カート１の位置が所定の位置に案内され、固定式テーブル３０の給電側コネクタ３３と、カート１の受電側コネクタ２２とが接続される。
【００４７】
給電側コネクタ３３と受電側コネクタ２２とが接続されると、表示装置２３の表示画面２４の接続ランプ２４ａが点灯する。また、表示画面２４には、バッテリー２１の残量が表示される。
【００４８】
本参考例によれば、天板４の上面であって、端部４ａに取り付けられた表示装置２３に受電側コネクタ２２と給電側コネクタ３３の接続状態及びバッテリー２１の残量が表示されるため、使用者は、外部から接続状態を確認することができ、かつ、バッテリー２１の残量を知ることができる。表示装置２３の取り付け位置は、ハンドル部１３の近傍であるため、使用者は、より容易にバッテリーの状態を確認することができる。
【００４９】
また、受電側コネクタ２２と給電側コネクタ３３との接続機構にマグネット機構を採用した。これにより、コネクタ同士の接続の解除を忘れてカート１を固定式テーブル３０から離間させるように移動させてしまった場合においても、カート１を操作する力がマグネット機構による接続力よりも大きければ、その接続が自動的に解除されるため、使用時における安全性を確保することができる。
【００５０】
また、受電側コネクタ２２は、カート１において、カート１を固定式テーブル３０に組み合わせる際に、固定式テーブル３０に向かう側に配設されているため、使用者の作業空間を広く確保できる。
【００５１】
なお、上記参考例においては、バッテリー２１に電力を供給する電源装置にマグネット機構を有するコンセント装置を用いたが、これに限ることはなく、例えば、給電側コネクタ３３側に設けられた送電コイルに流した電流によって生じる電磁誘導により、受電側コネクタ２２側に設けられた受電コイルに電流を生じさせることで、カート１のバッテリー２１に電源を供給する非接触給電を採用してもよい。
非接触給電を採用することによって、給電状態においてもカート１を自由に移動させることができるので、使用時における安全性を確保することができる。
【００５２】
また、表示装置２３の取り付け位置は、上記参考例で示した位置に限ることはなく、使用者が視認可能な位置であれば、例えば、固定式テーブル３０の天板３２上であってもよい。
さらに、表示装置２３の表示装置本体２３ａは、天板と一体に設けられていてもよい。
【００５３】
（実施形態）
次に、本発明の実施形態について図面に基づいて説明する。図８は、本実施形態の什器システムを示す断面図である。なお、本実施形態では、上述した第一の参考例との相違点を中心に述べ、同様の部分についてはその説明を省略する。
本実施形態の什器システムは、固定式テーブル３０Ａを構成する給電側コネクタ３３Ａ（給電部）が表示装置と一体的に設けられていることを特徴としている。図８に示すように、給電側コネクタ３３Ａは、上下方向に長さを有する直方体形状をなし、天板３２Ａを貫通するように設置されている。これによって、給電側コネクタ３３Ａの上面は、天板３２Ａの上面に露出される。この給電側コネクタ３３Ａの上面には、表示画面２４Ａが設けられており、使用者は、外部からコネクタの接続状態を確認することができる。
【００５４】
本実施形態によれば、給電側コネクタ３３Ａのケースに表示画面２４Ａを組み込むことで、表示装置のためのケースを製造する必要がなくなる等、コストの削減が可能となる。
【００５５】
（第二の参考例）
次に、本発明の第二の参考例について図面に基づいて説明する。図９は、第二の参考例の什器システムの全体構成を示す斜視図である。図１０は、第二の参考例の什器システムを示す側面図である。なお、以下の説明において、図１０の右方向を「前方」とし、左方向を「後方」とする。
【００５６】
図９に示すように、本参考例の什器システムは、キャビネット４０（移動什器）、固定式テーブル５０（固定什器）とから構成され、床面上に固定的に設置された固定式テーブル５０に対して、床面上を移動可能なキャビネット４０を組み合わせて使用することが可能となっている。
キャビネット４０は、前面に開口部を有した直方体形状の本体４０ａと、この本体の内部を二分割するように、本体の前面に設けられた２つの引き出し４１，４１と、キャスタ４２とから構成されている。キャビネット４０は、２つの引き出し４１，４１の内部に電子機器等の物品を収納が可能である。
【００５７】
図１０の側面図に最もよく示されているように、キャビネット４０の天板４３の上面には、受電側コネクタ４４が設けられている。受電側コネクタ４４は、箱形状であり、その前面（図１０の右側）に第一の参考例と同様のマグネット機構を採用したオス型端子と吸着板を具備している。
一方、固定式テーブル５０の天板５１の下面には、箱状の給電側コネクタ５２が設けられている。給電側コネクタ５２の後面には、メス型端子とマグネットが設けられている。
これらのコネクタ４４，５２は、キャビネット４０を固定式テーブル５０に向けて前方に移動し、天板５１の下方に潜入させた際に、電気的に接続されるように構成されている。
【００５８】
また、受電側コネクタ４４の後面には、表示画面４５が一体的に設けられており、受電側コネクタ４４は、表示装置として機能するようになっている。表示画面４５には、第一の参考例と同様に、各コネクタ４４，５２同士の接続状態等を表示することができるようになっている。
【００５９】
本参考例によれば、受電側コネクタ４４の後面、つまり、キャビネット４０と固定式テーブル５０とを組み合わせた際、使用者から最もよく視認できる位置に、コネクタ４４，５２同士の接続状態を表示する表示画面４５を設けた。これにより、使用者は、外部から接続状態を確認することができる。
【００６０】
また、受電側コネクタ４４に表示画面４５が一体的に設けられているため、表示装置のためのケースを製造する必要がなくなる等、コストの削減が可能となる。
【符号の説明】
【００６１】
１  カート（移動什器）
４  天板
５  バッテリー部
１０  収容部
１３  ハンドル部（操作部）
２１  バッテリー
２２  受電側コネクタ（受電部）
２３  表示装置
３０  固定式テーブル
３３  給電側コネクタ（給電部）
【図１】
0005663221.tif 000002
【図２】
0005663221.tif 000003
【図３】
0005663221.tif 000004
【図４】
0005663221.tif 000005
【図５】
0005663221.tif 000006
【図６】
0005663221.tif 000007
【図７】
0005663221.tif 000008
【図８】
0005663221.tif 000009
【図９】
0005663221.tif 000010
【図１０】
0005663221.tif 000011